(57)【要約】【課題】表示装置の消費電力を減少させることができる表示装置を提供する。【解決手段】本発明にかかる表示装置は、第１ゲートライングループが配置される第１表示領域及び第１ゲートライングループと断絶される第２ゲートライングループが配置される第２表示領域を含む表示パネル、及び第１表示領域に表示される第１入力映像データに基づいて第１表示領域の第１駆動周波数を決定し、第２表示領域に表示される第２入力映像データに基づいて第２表示領域の第２駆動周波数を決定するタイミングコントローラを含む。【選択図】図１
2016081066.tif 000002
【特許請求の範囲】
【請求項１】
第１ゲートライングループが配置される第１表示領域及び前記第１ゲートライングループと断絶される第２ゲートライングループが配置される第２表示領域を含む表示パネルと、
前記第１表示領域に表示される第１入力映像データに基づいて前記第１表示領域の第１駆動周波数を決定し、前記第２表示領域に表示される第２入力映像データに基づいて前記第２表示領域の第２駆動周波数を決定するタイミングコントローラと、
を含むことを特徴とする表示装置。
【請求項２】
前記第１表示領域及び前記第２表示領域は、水平方向に隣接して配置されることを特徴とする請求項１に記載の表示装置。
【請求項３】
前記第１表示領域のサイズは、前記第２表示領域のサイズと同一であることを特徴とする請求項１に記載の表示装置。
【請求項４】
前記第１ゲートライングループにゲート信号を印加する第１ゲート駆動部と、
前記第２ゲートライングループにゲート信号を印加する第２ゲート駆動部と、
をさらに含むことを特徴とする請求項１に記載の表示装置。
【請求項５】
前記タイミングコントローラは、前記第１入力映像データが動画を含む場合、前記第１駆動周波数を高周波数に決定し、前記第１入力映像データが静止画のみを含む場合、前記第１駆動周波数を低周波数に決定し、
前記タイミングコントローラは、前記第２入力映像データが動画を含む場合、前記第２駆動周波数を高周波数に決定し、前記第２入力映像データが静止画のみを含む場合、前記第２駆動周波数を低周波数に決定することを特徴とする請求項４に記載の表示装置。
【請求項６】
前記第２入力映像データが動画及び静止画を含む場合、
前記第２ゲート駆動部は前記動画に対応するゲートラインのみにゲート信号を出力することを特徴とする請求項５に記載の表示装置。
【請求項７】
前記第２入力映像データが動画及び静止画を含む場合、
前記タイミングコントローラは、前記静止画に対応するゲートクロックのパルスをマスキングするゲートマスキング信号を生成することを特徴とする請求項６に記載の表示装置。
【請求項８】
前記第２入力映像データが動画及び静止画を含む場合、
前記第２ゲート駆動部は、前記動画の開始点に対応するゲートライン以降のゲートラインのみにゲート信号を出力することを特徴とする請求項５に記載の表示装置。
【請求項９】
前記第２ゲート駆動部は、入力垂直開始信号及びＮ個の選択信号の入力を受けて、２Ｎ個の出力垂直開始信号のうち、前記動画の開始点を示す出力垂直開始信号を選択して出力するゲートデマルチプレクサを含むことを特徴とする請求項８に記載の表示装置。
【請求項１０】
前記第１表示領域及び前記第２表示領域にデータ電圧を出力するデータ駆動部をさらに含み、
前記第１入力映像データが静止画のみを含む場合、ブランク区間の間、前記データ駆動部のうち、前記第１入力映像データに対応する領域のバッファ部がターンオフされることを特徴とする請求項５に記載の表示装置。
【発明の詳細な説明】
【技術分野】
【０００１】
本発明は表示装置及びこれを用いた表示パネルの駆動方法に関し、より詳しくは消費電力を減少させることができる表示装置及びこれを用いた表示パネルの駆動方法に関する。
【背景技術】
【０００２】
実生活に広く用いられるタブレットＰＣ（ｔａｂｌｅｔ  ｐｅｒｓｏｎａｌ  ｃｏｍｐｕｔｅｒ）、ノートＰＣなどのＩＴ製品に対するバッテリー消耗を最小化するための研究が続いている。
【０００３】
表示パネルを有するＩＴ製品において、表示装置の消費電力を最小化することによってＩＴ製品のバッテリー消耗を最小化することができる。表示パネルに静止画を表示する場合、相対的に低い周波数で駆動することによって表示パネルの消費電力を減少させることができる。
【０００４】
しかしながら、従来の低周波駆動方式の消費電力低減効果は、表示パネルの全体映像が静止画を表示する場合に限定される。したがって、表示パネルに動画を表示する場合には依然として消費電力低減効果が充分でないという問題がある。
【先行技術文献】
【特許文献】
【０００５】
【特許文献１】韓国公開特許第１０−２０１１−０１３３７１５号公報
【特許文献２】韓国公開特許第１０−２０１４−００７６２５２号公報
【特許文献３】韓国公開特許第１０−２００５−００１９１７２号公報
【特許文献４】韓国公開特許第１０−２０１５−０１００９７８号公報
【発明の概要】
【発明が解決しようとする課題】
【０００６】
本発明の技術的課題はこのような点に着目したものであって、本発明の目的は、表示装置の消費電力を減少させることができる表示装置を提供することにある。
【０００７】
本発明の更に他の目的は、上記表示装置を用いる表示パネルの駆動方法を提供することにある。
【課題を解決するための手段】
【０００８】
上記した本発明の一目的を実現するための一実施形態における表示装置は、第１ゲートライングループが配置される第１表示領域、及び上記第１ゲートライングループと断絶される第２ゲートライングループが配置される第２表示領域を含む表示パネル、及び上記第１表示領域に表示される第１入力映像データに基づいて上記第１表示領域の第１駆動周波数を決定し、上記第２表示領域に表示される第２入力映像データに基づいて上記第２表示領域の第２駆動周波数を決定するタイミングコントローラを含む。
【０００９】
本発明の一実施形態において、上記第１表示領域及び上記第２表示領域は水平方向に隣り合って配置されてもよい。
【００１０】
本発明の一実施形態において、上記第１表示領域のサイズは上記第２表示領域のサイズと同一であってもよい。
【００１１】
本発明の一実施形態において、上記表示装置は、上記第１ゲートライングループにゲート信号を印加する第１ゲート駆動部、及び上記第２ゲートライングループにゲート信号を印加する第２ゲート駆動部を更に含んでもよい。
【００１２】
本発明の一実施形態において、上記タイミングコントローラは、上記第１入力映像データが動画を含む場合、上記第１駆動周波数を高周波数に決定し、上記第１入力映像データが静止画のみを含む場合、上記第１駆動周波数を低周波数に決定してもよい。上記タイミングコントローラは、上記第２入力映像データが動画を含む場合、上記第２駆動周波数を高周波数に決定し、上記第２入力映像データが静止画のみを含む場合、上記第２駆動周波数を低周波数に決定してもよい。
【００１３】
本発明の一実施形態において、上記第２入力映像データが動画及び静止画を含む場合、上記第２ゲート駆動部は上記動画に対応するゲートラインのみにゲート信号を出力してもよい。
【００１４】
本発明の一実施形態において、上記第２入力映像データが動画及び静止画を含む場合、上記タイミングコントローラは上記静止画に対応するゲートクロックのパルスをマスキングするゲートマスキング信号を生成してもよい。
【００１５】
本発明の一実施形態において、上記第２入力映像データが動画及び静止画を含む場合、上記第２ゲート駆動部は上記動画の開始点に対応するゲートライン以降のゲートラインのみにゲート信号を出力してもよい。
【００１６】
本発明の一実施形態において、上記第２ゲート駆動部は入力垂直開始信号及びＮ個の選択信号の入力を受けて、２Ｎ個の出力垂直開始信号のうち、上記動画の開始点を示す出力垂直開始信号を選択して出力するゲートデマルチプレクサを含んでもよい。
【００１７】
本発明の一実施形態において、上記表示装置は上記第１表示領域及び上記第２表示領域にデータ電圧を出力するデータ駆動部を更に含んでもよい。上記第１入力映像データが静止画のみを含む場合、ブランク区間の間、上記データ駆動部のうち、上記第１入力映像データに対応する領域のバッファ部がターンオフされてもよい。
【００１８】
本発明の一実施形態において、上記表示装置は上記第１表示領域及び上記第２表示領域にデータ電圧を出力するデータ駆動部を更に含んでもよい。上記第１入力映像データが静止画のみを含む場合、ブランク区間の間、上記データ駆動部のうち、上記第１入力映像データに対応する領域に電源電圧が提供されないことがある。
【００１９】
上記した本発明の他の目的を実現するための一実施形態にかかる表示パネルの駆動方法は、第１ゲートライングループが配置される第１表示領域に表示される第１入力映像データに基づいて上記第１表示領域の第１駆動周波数を決定し、上記第１ゲートライングループと断絶される第２ゲートライングループが配置される第２表示領域に表示される第２入力映像データに基づいて上記第２表示領域の第２駆動周波数を決定し、及び上記第１駆動周波数で上記第１表示領域を駆動し、上記第２駆動周波数で上記第２表示領域を駆動することを含む。
【００２０】
本発明の一実施形態において、上記第１入力映像データが動画を含む場合、上記第１駆動周波数は高周波数に決定され、上記第１入力映像データが静止画のみを含む場合、上記第１駆動周波数は低周波数に決定されてもよい。上記第２入力映像データが動画を含む場合、上記第２駆動周波数は高周波数に決定され、上記第２入力映像データが静止画のみを含む場合、上記第２駆動周波数は低周波数に決定されてんもよい。
【００２１】
本発明の一実施形態において、上記第２入力映像データが動画及び静止画を含む場合、上記動画に対応するゲートラインのみにゲート信号が出力されてもよい。
【００２２】
本発明の一実施形態において、上記第２入力映像データが動画及び静止画を含む場合、上記静止画に対応するゲートクロックのパルスをマスキングするゲートマスキング信号が生成されてもよい。
【００２３】
本発明の一実施形態において、上記第２入力映像データが動画及び静止画を含む場合、上記動画の開始点に対応するゲートライン以降のゲートラインのみにゲート信号が出力されてもよい。
【００２４】
本発明の一実施形態において、上記第２入力映像データが動画及び静止画を含む場合、上記入力垂直開始信号及びＮ個の選択信号に基づいて、２Ｎ個の出力垂直開始信号のうち、上記動画の開始点を示す出力垂直開始信号が選択され、上記選択された出力垂直開始信号に対応するゲートライン以降のゲートラインのみにゲート信号が出力されてもよい。
【００２５】
本発明の一実施形態において、上記表示パネルの駆動方法は、上記第１表示領域及び上記第２表示領域にデータ電圧を出力することをさらに含んでもよい。上記第１入力映像データが静止画のみを含む場合、ブランク区間の間上記第１入力映像データに対応するデータ駆動部の領域のバッファ部をターンオフしてもよい。
【００２６】
本発明の一実施形態において、上記表示パネルの駆動方法は、上記第１表示領域及び上記第２表示領域にデータ電圧を出力することを更に含んでもよい。上記第１入力映像データが静止画のみを含む場合、ブランク区間の間、上記第１入力映像データに対応するデータ駆動部の領域に電源電圧を提供しないことがある。
【発明の効果】
【００２７】
このような表示装置及びこれを用いる表示パネルの駆動方法によれば、表示パネルが表示する映像に応じて駆動周波数を調節して表示装置の消費電力を減少させることができる。また、表示パネルが一部領域においてのみ動画を表示する場合、上記動画を表示する領域を高周波数で駆動し、かつ静止画を表示する残りの領域を低周波数で駆動することによって表示装置の消費電力をより減少させることができる。
【図面の簡単な説明】
【００２８】
【図１】本発明の一実施形態に係る表示装置を示すブロック図である。
【図２】図１の表示パネルを示す平面図である。
【図３】図１のタイミングコントローラを示すブロック図である。
【図４】図１の表示パネルの第２表示領域の一部に動画が表示される場合を示す表示パネルの平面図である。
【図５】図１の表示パネルの第２表示領域の一部に動画が表示される場合の表示パネルの駆動信号を示すタイミング図である。
【図６】図１の表示パネルの第２表示領域の一部に動画が表示される場合の第２ゲート駆動部の入出力信号を示すタイミング図である。
【図７】図１の表示パネルの第１表示領域の一部及び第２表示領域の一部に動画が表示される場合を示す表示パネルの平面図である。
【図８】図１の表示パネルの第１表示領域の一部及び第２表示領域の一部に動画が表示される場合の表示パネルの駆動信号を示すタイミング図である。
【図９】図１のデータ駆動部を示すブロック図である。
【図１０】本発明の一実施形態に係る表示装置を示すブロック図である。
【図１１】図１０の第２ゲート駆動部のゲートデマルチプレクサを示すブロック図である。
【図１２】図１０の表示パネルの第２表示領域の一部に動画が表示される場合を示す表示パネルの平面図である。
【発明を実施するための形態】
【００２９】
以下、添付した図面を参照して、本発明をより詳細に説明する。
【００３０】
図１は、本発明の一実施形態に係る表示装置を示すブロック図である。図２は、図１の表示パネル１００を示す平面図である。
【００３１】
図１及び図２を参照すると、表示装置は、表示パネル１００及びパネル駆動部を含む。パネル駆動部は、タイミングコントローラ２００、第１ゲート駆動部３００、第２ゲート駆動部３４０、ガンマ基準電圧生成部４００、データ駆動部５００、及び電源電圧生成部６００を含む。
【００３２】
表示パネル１００は、映像を表示する表示部及び表示部に隣接して配置される周辺部を含む。
【００３３】
表示パネル１００は、複数のゲートライン（ＧＬＡ、ＧＬＢ）、複数のデータライン（ＤＬ）、及び上記ゲートライン（ＧＬＡ、ＧＬＢ）と上記データライン（ＤＬ）の各々に電気的に接続された複数のピクセルを含む。ゲートライン（ＧＬＡ、ＧＬＢ）は第１方向（Ｄ１）に延長され、データライン（ＤＬ）は第１方向（Ｄ１）に対して交差する第２方向（Ｄ２）に延長されてもよい。
【００３４】
表示パネル１００は、第１ゲートライングループ（ＧＬＡ１〜ＧＬＡＮ、ただしＮは自然数であって、１＜Ｎである。以下同じ。）が配置される第１表示領域（ＤＡＡ）、及び第１ゲートライングループ（ＧＬＡ１〜ＧＬＡＮ）と断絶される第２ゲートライングループ（ＧＬＢ１〜ＧＬＢＮ、ただしＮは自然数である。以下同じ。）が配置される第２表示領域（ＤＡＢ）を含む。
【００３５】
例えば、第１表示領域（ＤＡＡ）及び第２表示領域（ＤＡＢ）は水平方向に隣接して配置されてもよい。
【００３６】
例えば、第１表示領域（ＤＡＡ）のサイズは第２表示領域（ＤＡＢ）のサイズと同一であってもよい。
【００３７】
各ピクセルは、スイッチング素子（図示せず）、スイッチング素子に電気的に接続された液晶キャパシタ（図示せず）、及びストレージキャパシタ（図示せず）を含んでもよい。ピクセルはマトリックス形状に配置されてもよい。
【００３８】
タイミングコントローラ２００は、外部の装置（図示せず）から入力映像データ（ＲＧＢ）、及び入力制御信号（ＣＯＮＴ）を受信する。入力映像データは、赤色映像データ（Ｒ）、緑色映像データ（Ｇ）、及び青色映像データ（Ｂ）を含んでもよい。入力制御信号（ＣＯＮＴ）は、マスタークロック信号及びデータイネーブル信号を含んでもよい。入力制御信号（ＣＯＮＴ）は、垂直同期信号及び水平同期信号を更に含んでもよい。
【００３９】
タイミングコントローラ２００は、入力映像データ（ＲＧＢ）及び入力制御信号（ＣＯＮＴ）に基づいて第１制御信号（ＣＯＮＴ１Ａ、ＣＯＮＴ１Ｂ）、第２制御信号（ＣＯＮＴ２）、第３制御信号（ＣＯＮＴ３）、及びデータ信号（ＤＡＴＡ）を生成する。
【００４０】
タイミングコントローラ２００は、入力制御信号（ＣＯＮＴ）に基づいて第１ゲート駆動部３００の動作を制御するための第１ゲート制御信号（ＣＯＮＴ１Ａ）を生成して第１ゲート駆動部３００に出力する。第１ゲート制御信号（ＣＯＮＴ１Ａ）は垂直開始信号及びゲートクロック信号を含んでもよい。
【００４１】
タイミングコントローラ２００は、入力制御信号（ＣＯＮＴ）に基づいて第２ゲート駆動部３４０の動作を制御するための第２ゲート制御信号（ＣＯＮＴ１Ｂ）を生成して第２ゲート駆動部３４０に出力する。第２ゲート制御信号（ＣＯＮＴ１Ｂ）は、垂直開始信号及びゲートクロック信号を含んでもよい。
【００４２】
タイミングコントローラ２００は、入力制御信号（ＣＯＮＴ）に基づいてデータ駆動部５００の動作を制御するための第２制御信号（ＣＯＮＴ２）を生成してデータ駆動部５００に出力する。第２制御信号（ＣＯＮＴ２）は、水平開始信号及びロード信号を含んでもよい。
【００４３】
タイミングコントローラ２００は、入力映像データ（ＲＧＢ）に基づいてデータ信号（ＤＡＴＡ）を生成する。タイミングコントローラ２００は、データ信号（ＤＡＴＡ）をデータ駆動部５００に出力する。
【００４４】
タイミングコントローラ２００は、入力映像データ（ＲＧＢ）に基づいて表示パネル１００の駆動周波数を決定する。タイミングコントローラ２００は、第１表示領域（ＤＡＡ）に表示される第１入力映像データに基づいて第１表示領域（ＤＡＡ）の第１駆動周波数を決定し、第２表示領域（ＤＡＢ）に表示される第２入力映像データに基づいて第２表示領域（ＤＡＢ）の第２駆動周波数を決定する。
【００４５】
タイミングコントローラ２００は、第１入力映像データが動画を含む場合、第１駆動周波数を高周波数に決定し、第１入力映像データが静止画のみを含む場合、第１駆動周波数を低周波数に決定してもよい。
【００４６】
タイミングコントローラ２００は、第２入力映像データが動画を含む場合、第２駆動周波数を高周波数に決定し、第２入力映像データが静止画のみを含む場合、第２駆動周波数を低周波数に決定してもよい。
【００４７】
結果的に、本実施形態において、第１表示領域（ＤＡＡ）の駆動周波数は第２表示領域（ＤＡＢ）の駆動周波数と相異する場合がある。第１表示領域（ＤＡＡ）及び第２表示領域（ＤＡＢ）がいずれも動画を含む場合、第１表示領域（ＤＡＡ）及び第２表示領域（ＤＡＢ）は同一の高周波数で駆動されてもよい。第１表示領域（ＤＡＡ）及び第２表示領域（ＤＡＢ）がいずれも静止画のみを含む場合、第１表示領域（ＤＡＡ）及び第２表示領域（ＤＡＢ）は同一の低周波数で駆動されてもよい。
【００４８】
例えば、高周波数は６０Ｈｚ、１２０Ｈｚ、及び２４０Ｈｚのうち、いずれか１つであってもよい。高周波数は、入力映像データ（ＲＧＢ）に応じて変更されてもよいが、変更されない場合もある。
【００４９】
例えば、低周波数は高周波数より小さい周波数であってもよい。例えば、低周波数は３０Ｈｚ、２０Ｈｚ、１０Ｈｚ、及び１Ｈｚのうち、いずれか１つであってもよい。低周波数は、入力映像データ（ＲＧＢ）に応じて変更されてもよい。
【００５０】
タイミングコントローラ２００は、入力映像データ（ＲＧＢ）に基づいて表示パネル１００の電源制御信号を生成してもよい。電源制御信号は、データ駆動部５００の電源制御動作を制御する。
【００５１】
電源制御信号は、データ駆動部５００の一部の構成要素をターンオフするタイミングを指示する。電源制御信号がハイレベルを有するとき、データ駆動部５００のバッファ部がターンオフされて節電モードで動作してもよい。電源制御信号がローレベルを有するとき、データ駆動部５００のバッファ部がターンオンされて正常動作してもよい。
【００５２】
電源制御信号は、データ信号（ＤＡＴＡ）の垂直ブランク区間及び低周波数駆動に基づく低周波ブランク区間にハイレベルを有するものでもよい。本実施例において垂直ブランク区間及び低周波ブランク区間を合せて「ブランク区間」と呼ぶことがある。
【００５３】
垂直ブランク区間は、入力映像データ（ＲＧＢ）に関わらず、データ信号のフレーム間に定義されるブランクである。
【００５４】
入力映像データ（ＲＧＢ）が静止画のみを含み、表示領域を低周波数で動作する低周波モードの場合、データ信号（ＤＡＴＡ）を出力しない低周波ブランク区間を有してもよい。例えば、低周波モードは、データ信号（ＤＡＴＡ）を正常出力する正常出力区間、及びデータ信号（ＤＡＴＡ）を出力しない低周波ブランク区間を有してもよい。例えば、高周波駆動周波数が６０Ｈｚ、低周波駆動周波数が２０Ｈｚの場合、低周波モードの１／３区間（正常出力区間）の間はデータ信号（ＤＡＴＡ）を正常出力し、低周波モードの２／３区間（ブランク区間）の間はデータ信号（ＤＡＴＡ）を出力しないものでもよい。
【００５５】
第１表示領域（ＤＡＡ）に対応する第１入力映像データのブランク区間の間、タイミングコントローラ２００は第１ゲート制御信号（ＣＯＮＴ１Ａ）を第１ゲート駆動部３００に出力しないことがある。例えば、第１入力映像データのブランク区間の間、タイミングコントローラ２００は垂直開始信号を第１ゲート駆動部３００に出力しないことがある。
【００５６】
第２表示領域（ＤＡＢ）に対応する第２入力映像データのブランク区間の間、タイミングコントローラ２００は第２ゲート制御信号（ＣＯＮＴ１Ｂ）を第２ゲート駆動部３４０に出力しないことがある。例えば、第２入力映像データのブランク区間の間、タイミングコントローラ２００は垂直開始信号を第２ゲート駆動部３４０に出力しないことがある。
【００５７】
また、第１入力映像データのブランク区間の間、タイミングコントローラ２００は第２制御信号（ＣＯＮＴ２）及びデータ信号（ＤＡＴＡ）を第１入力映像データに対応するデータ駆動部５００の領域に出力しないことがある。例えば、第１入力映像データのブランク区間の間、タイミングコントローラ２００は水平開始信号及びロード信号及びデータ信号（ＤＡＴＡ）を第１入力映像データに対応するデータ駆動部５００の領域に出力しないことがある。
【００５８】
また、第２入力映像データのブランク区間の間、タイミングコントローラ２００は第２制御信号（ＣＯＮＴ２）及びデータ信号（ＤＡＴＡ）を第２入力映像データに対応するデータ駆動部５００の領域に出力しないことがある。例えば、第２入力映像データのブランク区間の間、タイミングコントローラ２００は水平開始信号及びロード信号及びデータ信号（ＤＡＴＡ）を第２入力映像データに対応するデータ駆動部５００の領域に出力しないことがある。
【００５９】
タイミングコントローラ２００は、入力制御信号（ＣＯＮＴ）に基づいてガンマ基準電圧生成部４００の動作を制御するための第３制御信号（ＣＯＮＴ３）を生成してガンマ基準電圧生成部４００に出力する。
【００６０】
第１ゲート駆動部３００は、タイミングコントローラ２００から入力を受けた第１ゲート制御信号（ＣＯＮＴ１Ａ）に応答して第１ゲートライングループ（ＧＬＡ１〜ＧＬＡＮ）のゲートラインを駆動するためのゲート信号を生成する。第１ゲート駆動部３００は、ゲート信号を第１ゲートライングループ（ＧＬＡ１〜ＧＬＡＮ）のゲートラインに順次に出力する。
【００６１】
第２ゲート駆動部３４０は、タイミングコントローラ２００から入力を受けた第２ゲート制御信号（ＣＯＮＴ１Ｂ）に応答して第２ゲートライングループ（ＧＬＢ１〜ＧＬＢＮ）のゲートラインを駆動するためのゲート信号を生成する。第２ゲート駆動部３４０は、ゲート信号を第２ゲートライングループ（ＧＬＢ１〜ＧＬＢＮ）のゲートラインに順次出力する。
【００６２】
第１ゲート駆動部３００及び第２ゲート駆動部３４０は、表示パネル１００に直接実装（ｍｏｕｎｔｅｄ）されてもよく、またはテープキャリアパッケージ（ｔａｐｅ  ｃａｒｒｉｅｒ  ｐａｃｋａｇｅ：ＴＣＰ）形状に表示パネル１００に接続されてもよい。一方、第１ゲート駆動部３００及び第２ゲート駆動部３４０は、表示パネル１００の周辺部に集積（ｉｎｔｅｇｒａｔｅｄ）されてもよい。
【００６３】
ガンマ基準電圧生成部４００は、タイミングコントローラ２００から入力を受けた第３制御信号（ＣＯＮＴ３）に応答してガンマ基準電圧（ＶＧＲＥＦ）を生成する。ガンマ基準電圧生成部４００は、ガンマ基準電圧（ＶＧＲＥＦ）をデータ駆動部５００に提供する。ガンマ基準電圧（ＶＧＲＥＦ）は、それぞれのデータ信号（ＤＡＴＡ）に対応する値を有する。
【００６４】
本発明の一実施形態において、ガンマ基準電圧生成部４００は、データ駆動部５００のなかに配置されてもよい。これとは異なり、ガンマ基準電圧生成部４００は、タイミングコントローラ２００のなかに配置されてもよい。
【００６５】
データ駆動部５００は、タイミングコントローラ２００から第２制御信号（ＣＯＮＴ２）及びデータ信号（ＤＡＴＡ）の入力を受けて、ガンマ基準電圧生成部４００からガンマ基準電圧（ＶＧＲＥＦ）の入力を受ける。データ駆動部５００は、データ信号（ＤＡＴＡ）をガンマ基準電圧（ＶＧＲＥＦ）を用いてアナログ形態のデータ電圧に変換する。データ駆動部５００は、上記データ電圧をデータライン（ＤＬ）に出力する。
【００６６】
データ駆動部５００は、表示パネル１００に直接実装されてもよく、またはテープキャリアパッケージ（ｔａｐｅ  ｃａｒｒｉｅｒ  ｐａｃｋａｇｅ：ＴＣＰ）形状に表示パネル１００に接続されてもよい。一方、データ駆動部５００は表示パネル１００の周辺部に集積されてもよい。
【００６７】
データ駆動部５００については図９を参照して詳細に後述する。
【００６８】
電源電圧生成部６００は、電源電圧（ＤＶＤＤ、ＡＶＤＤ）を生成してデータ駆動部５００に出力する。例えば、データ駆動部５００は、第１入力映像データを処理する第１の領域と第２入力映像データを処理する第２の領域とを含むものでもよい。第１入力映像データのブランク区間の間、電源電圧生成部６００は、データ駆動部５００のうち、第１入力映像データに対応する領域に電源電圧を提供しないことがある。また、第２入力映像データのブランク区間の間、電源電圧生成部６００は、データ駆動部５００のうち、第２入力映像データに対応する領域に電源電圧を提供しないことがある。
【００６９】
図３は、図１のタイミングコントローラ２００を示すブロック図である。
【００７０】
図１から図３を参照すると、タイミングコントローラ２００は、映像変換部２２０、低周波駆動部２４０、及び信号生成部２６０を含む。
【００７１】
映像変換部２２０は、入力映像データ（ＲＧＢ）の階調を補正し、データ駆動部５００の形式に合うように入力映像データ（ＲＧＢ）を再配置してデータ信号（ＤＡＴＡ）を生成する。データ信号（ＤＡＴＡ）はデジタル信号であってもよい。映像変換部２２０は、データ信号（ＤＡＴＡ）をデータ駆動部５００に出力する。
【００７２】
例えば、映像変換部２２０は色特性補正部（図示せず）及び能動キャパシタンス補正部（図示せず）を含んでもよい。
【００７３】
色特性補正部は、入力映像データ（ＲＧＢ）の階調データを受信して色特性補正（Ａｄａｐｔｉｖｅ  Ｃｏｌｏｒ  Ｃｏｒｒｅｃｔｉｏｎ：“ＡＣＣ”）を遂行する。色特性補正部は、ガンマ曲線を用いて階調データを補正してもよい。
【００７４】
能動キャパシタンス補正部は、過去のフレームデータと現在のフレームデータを用いて現在のフレームデータの階調データを補正する能動キャパシタンス補正（Ｄｙｎａｍｉｃ  Ｃａｐａｃｉｔａｎｃｅ  Ｃｏｍｐｅｎｓａｔｉｏｎ：“ＤＣＣ”）を遂行する。
【００７５】
低周波駆動部２４０は、入力映像データ（ＲＧＢ）を受信し、入力映像データ（ＲＧＢ）に基づいて表示パネル１００の駆動周波数（ＦＲＡ、ＦＲＢ）を決定する。低周波駆動部２４０は、第１表示領域（ＤＡＡ）の第１入力映像データに基づいて、表示パネル１００の第１表示領域（ＤＡＡ）の第１駆動周波数（ＦＲＡ）を決定してもよい。低周波駆動部２４０は、第２表示領域（ＤＡＢ）の第２入力映像データに基づいて、表示パネル１００の第２表示領域（ＤＡＢ）の第２駆動周波数（ＦＲＢ）を決定してもよい。
【００７６】
また、低周波駆動部２４０は、入力映像データ（ＲＧＢ）に基づいて電源制御信号（ＭＯＤＥＡ、ＭＯＤＥＢ）を生成する。低周波駆動部２４０は、第１入力映像データに基づいて第１表示領域（ＤＡＡ）の第１電源制御信号（ＭＯＤＥＡ）を生成する。低周波駆動部２４０は、第２入力映像データに基づいて、第２表示領域（ＤＡＢ）の第２電源制御信号（ＭＯＤＥＢ）を生成する。
【００７７】
低周波駆動部２４０は、駆動周波数（ＦＲＡ、ＦＲＢ）及び電源制御信号（ＭＯＤＥＡ、ＭＯＤＥＢ）を信号生成部２６０に出力する。
【００７８】
信号生成部２６０は、入力制御信号（ＣＯＮＴ）を受信する。入力制御信号（ＣＯＮＴ）、第１駆動周波数（ＦＲＡ）、及び第１電源制御信号（ＭＯＤＥＡ）に基づいて第１ゲート駆動部３００の駆動タイミングを調節するための第１ゲート制御信号（ＣＯＮＴ１Ａ）を生成し、入力制御信号（ＣＯＮＴ）、第２駆動周波数（ＦＲＢ）、及び第２電源制御信号（ＭＯＤＥＢ）に基づいて第２ゲート駆動部３４０の駆動タイミングを調節するための第２ゲート制御信号（ＣＯＮＴ１Ｂ）を生成する。
【００７９】
信号生成部２６０は、制御信号（ＣＯＮＴ）、駆動周波数（ＦＲＡ、ＦＲＢ）、及び電源制御信号（ＭＯＤＥＡ、ＭＯＤＥＢ）に基づいてデータ駆動部５００の駆動タイミングを調節するための第２制御信号（ＣＯＮＴ２）を生成する。
【００８０】
信号生成部２６０は、入力制御信号（ＣＯＮＴ）、駆動周波数（ＦＲＡ、ＦＲＢ）、及び電源制御信号（ＭＯＤＥＡ、ＭＯＤＥＢ）に基づいてガンマ基準電圧生成部４００の駆動タイミングを調節するための第３制御信号（ＣＯＮＴ３）を生成する。
【００８１】
信号生成部２６０は、第１ゲート制御信号（ＣＯＮＴ１Ａ）を第１ゲート駆動部３００に出力し、第２ゲート制御信号（ＣＯＮＴ１Ｂ）を第２ゲート駆動部３４０に出力し、第２制御信号（ＣＯＮＴ２）をデータ駆動部５００に出力し、第３制御信号（ＣＯＮＴ３）をガンマ基準電圧生成部４００に出力する。本実施形態において、第２制御信号（ＣＯＮＴ２）は電源制御信号（ＭＯＤＥＡ／ＭＯＤＥＢ）を含んでもよい。
【００８２】
図４は、図１の表示パネル１００の第２表示領域（ＤＡＢ）の一部に動画（ＶＩ）が表示される場合を示す表示パネル１００の平面図である。図５は、図１の表示パネル１００の第２表示領域（ＤＡＢ）の一部に動画（ＶＩ）が表示される場合の表示パネル１００の駆動信号を示すタイミング図である。図６は、図１の表示パネル１００の第２表示領域（ＤＡＢ）の一部に動画（ＶＩ）が表示される場合の第２ゲート駆動部３４０の入出力信号を示すタイミング図である。
【００８３】
図１から図６を参照すると、図４の第１表示領域（ＤＡＡ）には動画が表示されず、静止画のみが表示される。図４の第２表示領域（ＤＡＢ）の一部領域には動画が表示され、第２表示領域（ＤＡＢ）の残りの領域には静止画が表示される。
【００８４】
第１表示領域（ＤＡＡ）の第１入力映像データは静止画のみを含むので、第１表示領域（ＤＡＡ）は低周波数で駆動されてもよい。一方、第２表示領域（ＤＡＢ）の第２入力映像データは動画を含むので、第２表示領域（ＤＡＢ）は高周波数で駆動されてもよい。
【００８５】
図５に、第２表示領域（ＤＡＢ）が、第１表示領域（ＤＡＡ）の３倍高い周波数で駆動されることを例示した。したがって、第２表示領域（ＤＡＢ）の隣接する垂直開始信号ＳＴＶＢのパルス間として定義される１フレームの周期（ＴＢ）は、第１表示領域（ＤＡＡ）の隣接する垂直開始信号ＳＴＶＡのパルス間として定義される１フレームの周期（ＴＡ）の１／３として図示した。
【００８６】
本実施形態において、第１表示領域（ＤＡＡ）及び第２表示領域（ＤＡＢ）のうち、第２表示領域（ＤＡＢ）にのみ動画が含まれる場合、第１表示領域（ＤＡＡ）は低周波数で駆動される。このような駆動方式を、水平ローカル低周波駆動方式（ｈｏｒｉｚｏｎｔａｌ  ｌｏｃａｌ  ｌｏｗ  ｆｒｅｑｕｅｎｃｙ  ｄｒｉｖｉｎｇ  ｍｅｔｈｏｄ）と呼ぶことがある。水平ローカル低周波駆動方式を用いることによって表示装置の消費電力を減少させることができる。
【００８７】
動画（ＶＩ）は第２表示領域（ＤＡＢ）の全ての領域に表示されるのではなく、第２表示領域（ＤＡＢ）の一部領域のみに表示される。動画（ＶＩ）は第２ゲートライングループ（ＧＬＢ１〜ＧＬＢＮ）の第Ｘゲートライン（ＧＬＢＸ）から第Ｙゲートライン（ＧＬＢＹ）の間のみに表示される（ただし、Ｘ及びＹは自然数であって、１＜Ｘ＜Ｙ＜Ｎである。以下同じ。）。
【００８８】
図５の低周波数の周期（ＴＡ）及び高周波数の周期（ＴＢ）に共通して対応する第１及び第４フレームにおいて、第２ゲート駆動部３４０は第２表示領域（ＤＡＢ）の全てのゲートラインにゲート信号を出力する。
【００８９】
高周波数の周期（ＴＢ）のみに対応する第２、第３、第５、及び第６フレームにおいて、第２ゲート駆動部３４０は動画（ＶＩ）に対応するゲートライン（ＧＬＢＸからＧＬＢＹ）のみにゲート信号を出力してもよい。
【００９０】
第２、第３、第５、及び第６フレームにおいて、タイミングコントローラ２００は、動画（ＶＩ）に対応するゲートライン（ＧＬＢＸからＧＬＢＹ）のみにゲート信号のパルスを出力するために、静止画に対応するゲートクロックのパルスをマスキングするゲートマスキング信号（ＧＭＳ）を生成してもよい。
【００９１】
第２ゲート駆動部３４０に印加されるゲート信号は、第２ゲートクロック（ＣＰＶＢ）及びゲートマスキング信号（ＧＭＳ）を用いて生成される。ゲートマスキング信号（ＧＭＳ）は、静止画に対応する第１ゲートライン（ＧＬＢ１）から第Ｘ−１ゲートライン（ＧＬＢＸ−１）に対応するゲート信号をマスキングする。ゲートマスキング信号（ＧＭＳ）は、静止画に対応する第Ｙ＋１ゲートライン（ＧＬＢＹ＋１）から最後のゲートライン（ＧＬＢＮ）に対応するゲート信号をマスキングする。
【００９２】
ゲート信号がマスキングされる場合、第２表示領域（ＤＡＢ）に対応するデータ駆動部５００はデータ電圧を出力しない。
【００９３】
本実施形態において、高周波数の周期（ＴＢ）のみに該当するフレームにおいて、第２表示領域（ＤＡＢ）のうち、動画（ＶＩ）が表示される部分のゲート信号は正常に出力され、静止画が表示される残りの部分のゲート信号はマスキングされることにより、動画（ＶＩ）が表示される部分は高周波数で駆動され、静止画が表示される残りの部分は低周波で駆動される。このような駆動方式を垂直ローカル低周波駆動方式（ｖｅｒｔｉｃａｌ  ｌｏｃａｌ  ｌｏｗ  ｆｒｅｑｕｅｎｃｙ  ｄｒｉｖｉｎｇ  ｍｅｔｈｏｄ）と呼ぶことがある。垂直ローカル低周波駆動方式を用いることで表示装置の消費電力をより減少させることができる。
【００９４】
図７は、図１の表示パネル１００の第１表示領域（ＤＡＡ）の一部及び第２表示領域（ＤＡＢ）の一部に動画が表示される場合を示す表示パネル１００の平面図である。図８は、図１の表示パネル１００の第１表示領域（ＤＡＡ）の一部及び第２表示領域の一部（ＤＡＢ）に動画が表示される場合の表示パネル１００の駆動信号を示すタイミング図である。
【００９５】
図１から図３、図７、及び図８を参照すると、図７の第１表示領域（ＤＡＡ）の一部領域に第１動画（ＶＩ１）が表示され、第１表示領域（ＤＡＡ）の残りの領域には静止画が表示される。また、図７の第２表示領域（ＤＡＢ）の一部領域に第２動画（ＶＩ２）が表示され、第２表示領域（ＤＡＢ）の残りの領域には静止画が表示される。
【００９６】
第１表示領域（ＤＡＡ）の第１入力映像データは動画を含むので、第１表示領域（ＤＡＡ）は高周波数で駆動されてもよい。また、第２表示領域（ＤＡＢ）の第２入力映像データは動画を含むので、第２表示領域（ＤＡＢ）は高周波数で駆動されてもよい。
【００９７】
図８に、図５と同様に、動画領域が静止画領域の３倍高い周波数で駆動されることを例示する。
【００９８】
動画ＶＩ１は、第１表示領域（ＤＡＡ）の全ての領域に表示されるのではなく、第１表示領域（ＤＡＡ）の一部領域のみに表示される。動画ＶＩ１は第１ゲートライングループ（ＧＬＡ１〜ＧＬＡＮ）の第Ｐゲートライン（ＧＬＡＰ）から第Ｑゲートライン（ＧＬＡＱ）の間のみに表示される（ただし、Ｐ及びＱは自然数であって、１＜Ｐ＜Ｑ＜Ｎである。以下同じ。）。
【００９９】
低周波数の周期（図５のＴＡ）及び高周波数の周期（図８のＴＡ）に共通して対応する第１及び第４フレームにおいて、第１ゲート駆動部３００は、第１表示領域（ＤＡＡ）の全てのゲートラインにゲート信号を出力する。
【０１００】
高周波数の周期（図８のＴＡ）のみに対応する第２、第３、第５、及び第６フレームにおいて、第１ゲート駆動部３００は、動画（ＶＩ１）に対応するゲートライン（ＧＬＡＰからＧＬＡＱ）のみにゲート信号を出力してもよい。
【０１０１】
第２、第３、第５、及び第６フレームにおいて、タイミングコントローラ２００は静止画に対応するゲートクロックのパルスをマスキングするゲートマスキング信号を生成してもよい。
【０１０２】
本実施形態において、高周波数の周期（図８のＴＡ）のみに対応するフレームにおいて、第１表示領域のうち、動画（ＶＩ１）が表示される部分のゲート信号は正常に出力され、静止画が表示される残りの部分のゲート信号はマスキングされることにより、動画（ＶＩ１）が表示される部分は高周波数で駆動され、静止画が表示される残りの部分は低周波で駆動される。垂直ローカル低周波駆動方式を用いることによって表示装置の消費電力をより減少させることができる。
【０１０３】
動画（ＶＩ２）は第２表示領域（ＤＡＢ）の全ての領域に表示されるのではなく、第２表示領域（ＤＡＢ）の一部領域のみに表示される。動画（ＶＩ２）は第２ゲートライングループ（ＧＬＢ１〜ＧＬＢＮ）の第Ｘゲートライン（ＧＬＢＸ）から第Ｙゲートライン（ＧＬＢＹ）の間のみに表示される。
【０１０４】
低周波数の周期（図５のＴＡ）及び高周波数の周期（図８のＴＢ）に共通して対応する第１及び第４フレームにおいて、第２ゲート駆動部３４０は、第２表示領域（ＤＡＢ）の全てのゲートラインにゲート信号を出力する。
【０１０５】
高周波数の周期（図８のＴＢ）のみに対応する第２、第３、第５、及び第６フレームにおいて、第２ゲート駆動部３４０は、動画（ＶＩ２）に対応するゲートライン（ＧＬＢＸからＧＬＢＹ）のみにゲート信号を出力してもよい。
【０１０６】
第２、第３、第５、及び第６フレームにおいて、タイミングコントローラ２００は、動画（ＶＩ２）に対応するゲートラインのみにゲート信号のパルスを出力するために、静止画に対応するゲートクロックのパルスをマスキングするゲートマスキング信号を生成してもよい。
【０１０７】
本実施形態において、高周波数の周期（図８のＴＢ）のみに対応するフレームでにおいて、第２表示領域のうち、動画（ＶＩ２）が表示される部分のゲート信号は正常に出力され、静止画が表示される残りの部分のゲート信号はマスキングされることにより、動画（ＶＩ２）が表示される部分は高周波数で駆動され、静止画が表示される残りの部分は低周波で駆動される。垂直ローカル低周波駆動方式を用いることで表示装置の消費電力をより減少させることができる。
【０１０８】
図９は、図１のデータ駆動部５００を示すブロック図である。
【０１０９】
図１から図９を参照すると、データ駆動部５００は、電源制御部５１０、シフトレジスタ５２０、ラッチ５３０、信号処理部５４０、及びバッファ部５５０を含む。
【０１１０】
データ駆動部５００は、電源電圧生成部６００から電源電圧（ＤＶＤＤ、ＡＶＤＤ）の提供を受ける。電源電圧のうち、第１レベルの電源電圧（ＤＶＤＤ）は、シフトレジスタ５２０及びラッチ５３０に印加されてもよい。電源電圧のうち、第２レベルの電源電圧（ＡＶＤＤ）は、信号処理部５４０及びバッファ部５５０に印加されてもよい。例えば、第２レベルは第１レベルより大きくてもよい。
【０１１１】
電源制御部５１０は、電源制御信号（ＭＯＤＥＡ、ＭＯＤＥＢ）を受信する。電源制御部５１０は、電源制御信号（ＭＯＤＥＡ、ＭＯＤＥＢ）によって、データ駆動部５００の一部構成要素をターンオン及びターンオフして消費電力を減少させてもよい。
【０１１２】
電源制御部５１０は、第１入力映像データが静止画のみを含む場合、ブランク区間の間、データ駆動部５００のうち、第１入力映像データに対応する領域のバッファ部５５０をターンオフしてもよい。
【０１１３】
電源制御部５１０は、第２入力映像データが静止画のみを含む場合、ブランク区間の間、データ駆動部５００のうち、第２入力映像データに対応する領域のバッファ部５５０をターンオフしてもよい。
【０１１４】
第１入力映像データが静止画のみを含む場合、ブランク区間の間、データ駆動部５００のうち、第１入力映像データに対応する領域に電源電圧（ＤＶＤＤ、ＡＶＤＤ）が提供されないことがある。
【０１１５】
第２入力映像データが静止画のみを含む場合、ブランク区間の間、データ駆動部５００のうち、第２入力映像データに対応する領域に電源電圧（ＤＶＤＤ、ＡＶＤＤ）が提供されないことがある。
【０１１６】
一実施例において、シフトレジスタ５２０は、デジタル回路で線形方式により設置されたプロセッサレジスタのグループである。シフトレジスタ５２０は、ラッチパルスをラッチ５３０に出力する。
【０１１７】
ラッチ５３０は、データ信号（ＤＡＴＡ）を一時的に格納した後、出力する。
【０１１８】
信号処理部５４０は、デジタル方式であるデータ信号（ＤＡＴＡ）をガンマ基準電圧（ＶＧＲＥＦ）に基づいて、アナログ方式のデータ電圧に変換して出力する。例えば、信号処理部５４０はデジタル−アナログコンバータ（Ｄｉｇｉｔａｌ  ｔｏ  Ａｎａｌｏｇ  Ｃｏｎｖｅｒｔｅｒ：“ＤＡＣ”）であってもよい。
【０１１９】
バッファ部５５０は、信号処理部５４０から出力されるデータ電圧を緩衝記憶（ｂｕｆｆｅｒ）してデータライン（ＤＬ）に出力する。バッファ部５５０は、データライン（ＤＬ）に接続される増幅器を含んでもよい。
【０１２０】
本実施形態によれば、表示パネル１００の第１表示領域（ＤＡＡ）及び第２表示領域（ＤＡＢ）のうち、静止画のみを含む領域は低周波駆動されるので、表示装置の消費電力を減少させることができる。また、第１表示領域（ＤＡＡ）及び第２表示領域（ＤＡＢ）のうち、動画が表示される領域のゲートラインに対応する領域のみが高周波数で駆動され、残りの領域は低周波駆動されるので、表示装置の消費電力をより減少させることができる。
【０１２１】
図１０は、本発明の一実施形態にかかる表示装置を示すブロック図である。図１１は、図１０の第２ゲート駆動部３４０の第２ゲートデマルチプレクサ３４２を示すブロック図である。図１２は、図１０の表示パネル１００の第２表示領域（ＤＡＢ）の一部に動画が表示される場合を示す表示パネル１００の平面図である。
【０１２２】
本実施形態にかかる表示装置は、第１ゲート駆動部及び第２ゲート駆動部の構成及び動作を除き、図１から図９の表示装置と実質的に同一であるので、同一または類似の構成要素については同一の参照番号を使用し、重複する説明は省略する。
【０１２３】
図１０から図１２を参照すると、表示装置は表示パネル１００及びパネル駆動部を含む。パネル駆動部は、タイミングコントローラ２００、第１ゲート駆動部３００、第２ゲート駆動部３４０、ガンマ基準電圧生成部４００、データ駆動部５００、及び電源電圧生成部６００を含む。
【０１２４】
表示パネル１００は、第１ゲートライングループ（ＧＬＡ１〜ＧＬＡＮ）が配置される第１表示領域（ＤＡＡ）、及び第１ゲートライングループ（ＧＬＡ１〜ＧＬＡＮ）と断絶される第２ゲートライングループ（ＧＬＢ１〜ＧＬＢＮ）が配置される第２表示領域（ＤＡＢ）を含む。
【０１２５】
タイミングコントローラ２００は、入力映像データ（ＲＧＢ）に基づいて表示パネル１００の駆動周波数を決定する。タイミングコントローラ２００は、第１表示領域（ＤＡＡ）に表示される第１入力映像データに基づいて第１表示領域（ＤＡＡ）の第１駆動周波数を決定し、第２表示領域（ＤＡＢ）に表示される第２入力映像データに基づいて第２表示領域（ＤＡＢ）の第２駆動周波数を決定する。
【０１２６】
タイミングコントローラ２００は、第１入力映像データが動画を含む場合、第１駆動周波数を高周波数に決定し、第１入力映像データが静止画のみを含む場合、第１駆動周波数を低周波数に決定してもよい。
【０１２７】
タイミングコントローラ２００は、第２入力映像データが動画を含む場合、第２駆動周波数を高周波数に決定し、第２入力映像データが静止画のみを含む場合、第２駆動周波数を低周波数に決定してもよい。
【０１２８】
結果的に、本実施形態において、第１表示領域（ＤＡＡ）の駆動周波数は第２表示領域（ＤＡＢ）の駆動周波数と相異することがある。第１表示領域（ＤＡＡ）及び第２表示領域（ＤＡＢ）がいずれも動画を含む場合、第１表示領域（ＤＡＡ）及び第２表示領域（ＤＡＢ）は同一の高周波数で駆動されてもよい。第１表示領域（ＤＡＡ）及び第２表示領域（ＤＡＢ）がいずれも静止画のみを含む場合、第１表示領域（ＤＡＡ）及び第２表示領域（ＤＡＢ）は同一の低周波数で駆動されてもよい。
【０１２９】
第１ゲート駆動部３００は、タイミングコントローラ２００から入力を受けた第１ゲート制御信号（ＣＯＮＴ１Ａ）に応答して第１ゲートライングループ（ＧＬＡ１〜ＧＬＡＮ）のゲートラインを駆動するためのゲート信号を生成する。第１ゲート駆動部３００は、ゲート信号を第１ゲートライングループ（ＧＬＡ１〜ＧＬＡＮ）のゲートラインに順次出力する。
【０１３０】
第２ゲート駆動部３４０は、タイミングコントローラ２００から入力を受けた第２ゲート制御信号（ＣＯＮＴ１Ｂ）に応答して第２ゲートライングループ（ＧＬＢ１〜ＧＬＢＮ）のゲートラインを駆動するためのゲート信号を生成する。第２ゲート駆動部３４０は、ゲート信号を第２ゲートライングループ（ＧＬＢ１〜ＧＬＢＮ）のゲートラインに順次出力する。
【０１３１】
ガンマ基準電圧生成部４００は、タイミングコントローラ２００から入力を受けた第３制御信号（ＣＯＮＴ３）に応答してガンマ基準電圧（ＶＧＲＥＦ）を生成する。ガンマ基準電圧生成部４００は、ガンマ基準電圧（ＶＧＲＥＦ）をデータ駆動部５００に提供する。ガンマ基準電圧（ＶＧＲＥＦ）は、それぞれのデータ信号（ＤＡＴＡ）に対応する値を有する。
【０１３２】
データ駆動部５００は、タイミングコントローラ２００から第２制御信号（ＣＯＮＴ２）及びデータ信号（ＤＡＴＡ）の入力を受けて、ガンマ基準電圧生成部４００からガンマ基準電圧（ＶＧＲＥＦ）の入力を受ける。データ駆動部５００は、データ信号（ＤＡＴＡ）を、ガンマ基準電圧（ＶＧＲＥＦ）を用いてアナログ方式のデータ電圧に変換する。データ駆動部５００は、上記データ電圧をデータライン（ＤＬ）に出力する。
【０１３３】
図１２の第１表示領域（ＤＡＡ）には動画が表示されず、静止画のみが表示される。図１２の第２表示領域（ＤＡＢ）の一部領域には動画が表示され、第２表示領域（ＤＡＢ）の残りの領域には静止画が表示される。
【０１３４】
第１表示領域（ＤＡＡ）の第１入力映像データは静止画のみを含むので、第１表示領域（ＤＡＡ）は低周波数で駆動されてもよい。一方、第２表示領域（ＤＡＢ）の第２入力映像データは動画を含むので、第２表示領域（ＤＡＢ）は高周波数で駆動されてもよい。
【０１３５】
本実施形態において、第１表示領域（ＤＡＡ）及び第２表示領域（ＤＡＢ）のうち、第２表示領域（ＤＡＢ）のみに動画が含まれる場合、第１表示領域（ＤＡＡ）は低周波数で駆動される。水平ローカル低周波駆動方式を用いることによって表示装置の消費電力を減少させることができる。
【０１３６】
動画（ＶＩ）は第２表示領域（ＤＡＢ）の全ての領域に表示されるのではなく、第２表示領域（ＤＡＢ）の一部領域のみに表示される。動画（ＶＩ）の開始点は第４出力点（ＳＴＶＯＵＴ４）に対応する。
【０１３７】
第２ゲート駆動部３４０は、第２ゲートデマルチプレクサ３４２を含んでもよい。第２ゲートデマルチプレクサ３４２は、入力垂直開始信号（ｉｎｐｕｔ  ｖｅｒｔｉｃａｌ  ｓｔａｒｔ  ｓｉｇｎａｌ：ＳＴＶ  ＩＮ）及びＮ個の選択信号（ｓｅｌｅｃｔｉｎｇ  ｓｉｇｎａｌ：ＳＥＬ１〜ＳＥＬＮ）の入力を受けて、２Ｎ個の出力垂直開始信号（ｏｕｔｐｕｔ  ｖｅｒｔｉｃａｌ  ｓｔａｒｔ  ｓｉｇｎａｌ：ＳＴＶＯＵＴ１〜ＳＴＶＯＵＴ２Ｎ）のうち、いずれか１つを選択する。
【０１３８】
第２ゲートデマルチプレクサ３４２は、２Ｎ個の出力垂直開始信号（ＳＴＶＯＵＴ）のうち、動画（ＶＩ）の開始点を示す出力垂直開始信号（ＳＴＶＯＵＴ）を選択してもよい。
【０１３９】
例えば、上記Ｎが５の場合、ＳＥＬ信号（選択信号）は５ビット（ｂｉｔ）の信号となり、出力垂直開始信号は３２個となる。この場合、上記３２個の出力垂直開始信号は、表示パネル１００を垂直方向に３２等分したそれぞれの位置に対応する。
【０１４０】
仮に、第２ゲートデマルチプレクサ３４２のＳＥＬ信号が４の場合、上記３２等分した位置のうち、４番目の位置に対応するゲートライン以降のゲートラインにゲート信号が印加される。
【０１４１】
図示しないが、第１ゲート駆動部３００は第１ゲートデマルチプレクサ３２２を含んでもよい。第１ゲートデマルチプレクサ３２２の動作は第２ゲートデマルチプレクサ３２４の動作と同一である。
【０１４２】
本実施形態において、高周波数の周期（ＴＢ）のみに対応するフレームにおいて、第２表示領域のうち、動画（ＶＩ）が表示される開始点以降のゲート信号は正常に出力されて高周波で駆動され、動画（ＶＩ）の開始点以前のゲート信号はスキップされて低周波で駆動される。垂直ローカル低周波駆動方式を用いることによって表示装置の消費電力をより減少させることができる。
【０１４３】
本実施形態によれば、表示パネル１００の第１表示領域（ＤＡＡ）及び第２表示領域（ＤＡＢ）のうち、静止画のみを含む領域は低周波駆動されるので、表示装置の消費電力を減少させることができる。また、第１表示領域（ＤＡＡ）及び第２表示領域（ＤＡＢ）のうち、動画が表示される領域のゲートラインに対応する領域のみが高周波数で駆動され、残りの領域は低周波駆動されるので、表示装置の消費電力をより減少させることができる。
【産業上の利用可能性】
【０１４４】
以上で説明した本発明にかかる表示装置及びこれを用いる表示パネルの駆動方法によれば、表示装置の消費電力を減少させることができる。
【０１４５】
以上、実施形態を参照して説明したが、当該技術分野の熟練した当業者は以下の特許請求の範囲に記載された本発明の趣旨及び領域から逸脱しない範囲内で本発明を多様に修正及び変更することができる。
【符号の説明】
【０１４６】
１００    表示パネル
２００    タイミングコントローラ
２２０    映像変換部
２４０    低周波駆動部
２６０    信号生成部
３２０    第１ゲート駆動部
３４０    第２ゲート駆動部
４００    ガンマ基準電圧生成部
５００    データ駆動部
５１０    電源制御部
５２０    シフトレジスタ
５３０    ラッチ
５４０    信号処理部
５５０    バッファ部
６００    電源電圧生成部
【図１】
2016081066.tif 000003
【図２】
2016081066.tif 000004
【図３】
2016081066.tif 000005
【図４】
2016081066.tif 000006
【図５】
2016081066.tif 000007
【図６】
2016081066.tif 000008
【図７】
2016081066.tif 000009
【図８】
2016081066.tif 000010
【図９】
2016081066.tif 000011
【図１０】
2016081066.tif 000012
【図１１】
2016081066.tif 000013
【図１２】
2016081066.tif 000014